(57)【特許請求の範囲】
【請求項１】
所定の制御コマンドを含んだワイヤレス信号を発信するワイヤレス発信器と、そのワイヤス信号を受信し、中継処理するワイヤレス中継器と、上記ワイヤレス信号を受信して、所定の処理を行うワイヤレス受信器とを備えた中継伝送システムにおいて、
上記ワイヤレス信号は、ＩＤコードと、中継情報を含んだ制御データとを少なくとも含んだ構成とされ、この中継情報を、ワイヤレス中継器による中継処理がなされる毎に、カウントアップされる中継回数コードとし、
上記ワイヤレス受信器は、受信処理したワイヤレス信号を履歴データとして所定時間保持している間に、別のワイヤレス信号を受信したときには、保持している履歴データと、受信したワイヤレス信号に含まれる中継情報とを比較して、受信処理を行うか、どうかを判別することを特徴とする中継伝送システムにおける重複信号判別方法。
【請求項２】
所定の制御コマンドを含んだワイヤレス信号を発信するワイヤレス発信器と、そのワイヤス信号を受信し、中継処理するワイヤレス中継器と、上記ワイヤレス信号を受信して、所定の処理を行うワイヤレス受信器とを備えた中継伝送システムにおいて、
上記ワイヤレス信号は、ＩＤコードと、中継情報を含んだ制御データとを少なくとも含んだ構成とされ、この中継情報を、ワイヤレス中継器に応じて予め中継発信時間を規定した中継機器コードとし、
上記ワイヤレス受信器は、受信処理したワイヤレス信号を履歴データとして所定時間保持している間に、別のワイヤレス信号を受信したときには、保持している履歴データと、受信したワイヤレス信号に含まれる中継情報とを比較して、受信処理を行うか、どうかを判別することを特徴とする中継伝送システムにおける重複信号判別方法。
【請求項３】
所定の制御コマンドを含んだワイヤレス信号を発信するワイヤレス発信器と、そのワイヤス信号を受信し、中継処理するワイヤレス中継器と、上記ワイヤレス信号を受信して、所定の処理を行うワイヤレス受信器とを備えた中継伝送システムにおいて、
上記ワイヤレス信号は、ＩＤコードと、中継情報を含んだ制御データとを少なくとも含んだ構成とされ、この中継情報を、ワイヤレス中継器による中継処理がなされる毎に、カウントアップされる中継回数コードと、ワイヤレス中継器に応じて予め中継発信時間を規定した中継機器コードとを含んだものとし、
上記ワイヤレス受信器は、受信処理したワイヤレス信号を履歴データとして所定時間保持している間に、別のワイヤレス信号を受信したときには、保持している履歴データと、受信したワイヤレス信号に含まれる中継情報とを比較して、受信処理を行うか、どうかを判別することを特徴とする中継伝送システムにおける重複信号判別方法。
【請求項４】
請求項１において、
上記ワイヤレス受信器は、ワイヤレス信号を受信する毎に、そのワイヤレス信号とワイヤレス履歴データとを比較し、受信したワイヤレス信号に含まれる中継回数コードが、履歴データに含まれる中継回数コードと同じ場合のみ受信処理を行うことを特徴とする中継伝送システムにおける重複信号判別方法。
【請求項５】
請求項１において、
上記ワイヤレス受信器は、ワイヤレス信号を受信する毎に、そのワイヤレス信号とワイヤレス履歴データとを比較し、受信したワイヤレス信号に含まれる中継回数コードが、履歴データに含まれる中継回数コードと同じか、それよりも小さい場合のみ受信処理を行うことを特徴とする中継伝送システムにおける重複信号判別方法。
【請求項６】
請求項２において、
上記ワイヤレス中継器は、予め中継機器コードに応じた中継発信時間を、優先順位として設定されており、
上記ワイヤレス受信器は、ワイヤレス信号を受信する毎に、そのワイヤレス信号とワイヤレス履歴データとを比較し、受信したワイヤレス信号に含まれる中継機器コードが、履歴データに含まれる中継機器コードよりも優先順位が低い場合には、受信処理を禁止することを特徴とする中継伝送システムにおける重複信号判別方法。
【請求項７】
請求項１〜６のいずれかに記載の重複信号判別方法を採用する送受信システム。
【発明の詳細な説明】
【０００１】
【発明の属する技術分野】
本発明は、所定の制御コマンドを含んだワイヤレス信号を発信するワイヤレス発信器と、そのワイヤス信号を受信し、中継処理するワイヤレス中継器と、上記ワイヤレス信号を受信して、所定の処理を行うワイヤレス受信器とを備えた中継伝送システムにおいて、重複信号の受信処理を行わないための重複信号判別方法およびこの方法を採用する送受信システムに関する。
【０００２】
【従来の技術】
従来のレストランなどのワイヤレスコールシステムにおいて、サービスコール受信器やワイヤレスコール受信器は、受信信号のすべてに対して受信処理を行っている。したがって、サービスコールシステム及びワイヤレスコールシステムの使用可能エリアを拡大するために中継器を利用した場合、発信器から直接送信される信号と、中継器によって中継される信号との両方について受信処理がなされる。
【０００３】
そのため、複数台の中継器を使用すれば、各受信器および各中継器にかかる負荷は増大し、システム全体の効率は悪くなる。
【０００４】
このような問題に対して、中継器を含んだワイヤレス伝送システムでは、伝送フォーマット内に信号ごとにユニークな識別番号を設けることにより、同一の識別番号の信号について重複して受信した場合、最初に受信した信号のみ処理し、後で受信した信号は処理しないという方法を採用している。
【０００５】
また、受信処理ののち所定時間が経過するまでは、同一発信器からの信号は受信処理しないといった方法を採用するシステムもある。
【０００６】
【発明が解決しようとする課題】
ところが、前者においては、伝送フォーマット内に信号の識別番号を持っていないサービスコール受信器やワイヤレスコール受信器では、上記の方法では重複信号を判断することはできない。また、後者については、所定時間が経過する間も受信処理してほしいとの要望もある。
【０００７】
本発明は、このような事情に鑑みてなされたものであり、受信信号の伝送フォーマット内に、中継した回数を表わすコードと、信号を送信した発信器または中継器を表わす機器ごとにユニークなコードの両方または一方を設け、これらと受信処理済の履歴データとの比較により、同一データが受信済であるか否かを判断する重複信号判別方法を提供することを第１の目的とする。
【０００８】
第２の目的は、上記方法を採用するシステムを提供することである。
【０００９】
【課題を解決するための手段】
上記目的を達成するために、本発明の請求項１〜３に記載の重複信号判別方法では、ワイヤレス信号は、ＩＤコードと、中継情報を含んだ制御データとを少なくとも含んだ構成とされ、上記ワイヤレス受信器は、受信処理したワイヤレス信号を履歴データとして所定時間保持している間に、別のワイヤレス信号を受信したときには、保持している履歴データと、受信したワイヤレス信号に含まれる中継情報とを比較して、受信処理を行うか、どうかを判別する。
【００１０】
請求項１に記載の重複信号判別方法では、中継情報を、ワイヤレス中継器による中継処理がなされる毎に、カウントアップされる中継回数コードとしている。
【００１１】
請求項２に記載の重複信号判別方法では、中継情報を、ワイヤレス中継器に応じて予め中継発信時間を規定した中継機器コードとしている。
【００１２】
請求項３に記載の重複信号判別方法では、中継情報を、ワイヤレス中継器による中継処理がなされる毎に、カウントアップされる中継回数コードと、ワイヤレス中継器に応じて予め中継発信時間を規定した中継機器コードとを含んだものとしている。
【００１３】
請求項４に記載の重複信号判別方法では、ワイヤレス受信器は、ワイヤレス信号を受信する毎に、そのワイヤレス信号とワイヤレス履歴データとを比較し、受信したワイヤレス信号に含まれる中継回数コードが、履歴データに含まれる中継回数コードと同じ場合のみ受信処理を行うことを特徴とする。
【００１４】
請求項５に記載の重複信号判別方法では、ワイヤレス受信器は、ワイヤレス信号を受信する毎に、そのワイヤレス信号とワイヤレス履歴データとを比較し、受信したワイヤレス信号に含まれる中継回数コードが、履歴データに含まれる中継回数コードと同じか、それよりも小さい場合のみ受信処理を行うことを特徴とする。
【００１５】
請求項６に記載の重複信号判別方法では、ワイヤレス中継器は、予め中継機器コードに応じた中継発信時間を、優先順位として設定されており、ワイヤレス受信器は、ワイヤレス信号を受信する毎に、そのワイヤレス信号とワイヤレス履歴データとを比較し、受信したワイヤレス信号に含まれる中継機器コードが、履歴データに含まれる中継機器コードよりも優先順位が低い場合には、受信処理を禁止することを特徴とする。
【００１６】
【発明の実施の形態】
以下に、本発明の実施の形態について、図面とともに説明する。
【００１７】
図１は、本発明の重複信号判別方法を採用するシステムのシステム構成図の一例である。図において、１はレストラン等でオーダー番号等を表示する可変表示型ワイヤレス受信器、２は各ワイヤレス発信器からの信号を中継し受信器へ送信するワイヤレス中継器、３は押ボタンで呼出信号を発信する卓上発信器、４は同じく壁掛型発信器、５は複数の押ボタンを備え各押ボタンに対応して呼出信号を発信する集中発信器、６は表示受信器に表示している番号等を消去する集中消去発信器、７はセンサ検知により呼出信号を発信する熱線センサ発信器である。
【００１８】
図２および図３は、受信器１および中継器２の各々の内部構成を示すブロック図である。
【００１９】
図２において、１０は表示受信器１の各部を制御するＣＰＵ、１１は発信器３または中継器２からの信号を受信する無線受信部、１２は発信器ＩＤ等の登録データを記憶するＩＤ情報記憶部、１３は電源部、１４は電源のオン・オフするためのＳＷ入力部、１５は呼出元などを表示し複数の表示窓で構成される表示部、１６は受信したことを音で知らせるための音鳴動部である。
【００２０】
表示受信器１の無線受信部１１が呼出信号を受信すると、ＣＰＵ１０は、受信した信号が受信済であるかどうかを判別し、未受信であれば以下の受信処理を行い、受信済であれば受信処理は行わない。
【００２１】
受信処理では、ＣＰＵ１０は、受信した信号が、ＩＤ情報記憶部１２に登録されている発信器ＩＤに一致するものがあるかどうかを検索し、一致するものがあれば、呼出信号に対応した番号を表示部１５に表示し、音鳴動部１６により呼出音を出力する。
【００２２】
また図３において、２０は中継器２を制御するＣＰＵ、２１は信号の送受信を行う無線送受信部、２２はＩＤ情報記憶部、２３は電源部、２４はＳＷ入力部、２５は表示部である。ＣＰＵ２０は、受信した信号がＩＤ情報記憶部２２に登録されている発信器ＩＤに一致するものがあるかどうかを検索し、一致するものがあれば、受信した信号をそのままの形式で送信する。
【００２３】
中継器２は、無線送受信部２１が呼出信号を受信すると、ＣＰＵ２０は、受信した信号が受信済であるかどうかを判別し、未受信であれば受信処理および送信処理を行い、受信済であれば受信処理等は行わない。
【００２４】
また、図４は、受信器または中継器に対して信号を発信する発信器の内部構成を示すブロック図である。図において、３０は発信器３を制御するＣＰＵ、３１は信号の送信を行う無線送信部、３２はＩＤ情報記憶部、３３は電池、３４はＳＷ入力部、３５は表示部である。ＳＷ入力部３４が操作されると、後述の制御データ、ＩＤ、伝送データ等を１つの信号として送信する。
【００２５】
ここで、重複信号判別方法について簡単に説明する。
【００２６】
本発明の重複信号判別方法を実現するためには、上記システムにおいて、発信器３、中継器２、及び受信器１がそれぞれ次のような役割を担っている。
【００２７】
発信器３は、信号内の、中継器２や受信器１が重複信号の受信処理を行わないために使用する中継情報に、後述する発信器自身のデータを設定し、信号を送信する。中継情報には、中継器による中継処理がなされる毎に、カウントアップされる中継回数コードと、中継器に応じて予め中継発信時間を規定した中継機器コードを含む。
【００２８】
また、この信号を受信した中継器２は、信号内のこれらのコードと中継器２内に保存している履歴データ内のコードとの比較により重複を判別するとともに、信号が重複でなければ受信した信号内のこれらのコードを中継器自身のコードに書き換えて送信する。
【００２９】
発信器３または中継器２からの信号を受信した受信器１は、信号内のこれらのコードと受信器１内に保存している履歴データ内のコードとの比較により重複を判別する。
【００３０】
この発信器３、中継器２、受信器１のそれぞれの役割を包括して、重複信号判別方法と呼ぶ。
【００３１】
次に、重複信号判別方法で重複判断に使用する中継機器コード・中継回数コードを含む呼出信号データを、図５の伝送フォーマットで説明する。
【００３２】
呼出信号は、図５（ａ）に示すように、制御データ、ＩＤ、伝送データ等で構成される。ＩＤは、同一種別の発信器のＩＤ等を表わし、伝送データには、集中発信器の種類や操作したボタン番号等の情報が含まれる。
【００３３】
図５（ｂ）は、制御データのビット構成を示す図である。中継回数コード、中継機器コードはともに２ビットで構成され、中継回数コードは、コード値が「００」で中継なし、「０１」で１回中継、「１０」で２回中継を表わし、中継機器コードは、コード値が「００」で発信器、「０１」で中継器１、「１０」で中継器２を表わす。
【００３４】
次に、重複信号判別方法で受信済であるかどうかを判断するために蓄積する「受信済履歴データ」について説明する。履歴データの構成を図６に示す。
【００３５】
１件の履歴データＨは、上記伝送フォーマットで説明した受信データ内の制御データ、ＩＤ、伝送データを含み、さらに、データ有効期限タイマ値を有する。制御データ等は、受信処理が終了した受信データをそのまま加工せずに、履歴データとして格納したものである。
【００３６】
データ有効期限タイマ値とは、その値が０より大きければデータが有効であることを意味し、０であればデータが無効であることを意味する。受信処理が済んでデータが格納される時点では、最大値がセットされ、その値は最大中継処理時間によって定まる。その後時間の経過に従って、タイマ値が０になるまで減算され、タイマ値が０になった時点で、その履歴データを削除する。または、タイマ値が０のまま無効データとして放置してもよい。
【００３７】
以下に、本発明の重複信号判別方法の例である、３種類の判別方法態様例を、呼出信号の流れ図及び処理フローチャートを用いて説明する。
【００３８】
最初に、中継回数コードの比較により重複信号を判別する方法について、図７及び図８を用いて説明する。図７は、発信器と表示受信器と中継器２台を含むシステムにおいて、発信器から送信する信号の流れを示す図である。この重複信号判別方法は、この図のようなシリアル伝送システムにおいて有効に利用できる。もちろん、中継器を含まないシステムにおいても利用できる。
【００３９】
図において、ＣＣは中継回数コードで、（１）発信器３からの▲１▼の信号を受信した中継器２は受信信号の中継回数コードＣＣに１を加算して中継送信を行い、（２）▲２▼の信号を受信した中継器２´は受信信号の中継回数コードＣＣに１を加算して中継送信を行い、さらに、（３）▲３▼の信号を受信した表示受信器１は▲３▼の信号の受信処理を行う。また、（４）▲３▼の信号を受信した中継器２は▲３▼の信号が重複信号であると判断し、信号は廃棄される。
【００４０】
この重複信号判別を実現するための処理を、図８のフローチャートに示す。受信信号のＩＤ・伝送データがともに一致する履歴データが存在すれば、同一発信器からの信号であると判断し、重複チェックを行う。一致する履歴データがなければ、新たに履歴データを保存し受信処理を行う。重複チェックは、受信信号と履歴データ各々の中継回数コードの比較により実施される。受信信号の中継回数コードが大きい場合は重複であると判断し、受信処理は行わず、その他の場合は、初期値化した有効期限タイマ値と受信信号データで、履歴データを上書き更新し受信処理を行う（以上、図８の１０１〜１０５参照）。
【００４１】
第二に、中継機器コードの比較により重複信号を判別する方法について、図９及び図１０を用いて説明する。図９は、発信器と表示受信器と中継器２台を含むシステムにおいて、発信器から送信する信号の流れを示す図である。この重複信号判別方法は、この図のようなパラレル伝送システムにおいて有効に利用できる。もちろん、中継器を含まないシステムや、中継器が１台のみを含むシステムにおいても利用できる。
【００４２】
図において、ＲＰＣは中継機器コードで、（１）発信器３からの▲１▼の信号を受信した中継器２は受信信号の中継機器コードＲＰＣを自己の中継機器コードに代えて中継送信を行い、また、（２）発信器からの▲１▼の信号を受信した中継器２´は受信信号の中継機器コードＲＰＣを自己の中継機器コードに代えて中継送信を行う。
【００４３】
次に、（３）２台の中継器は発信器からの信号をほぼ同時に受信するが、中継器２の方が中継器２´よりも早く中継送信する（中継器２は中継器２´より優先順位が高い）構成としており、そのため▲２▼の方が▲３▼よりも早く受信される。（４）表示受信器１が▲２▼の信号を受信したときは受信処理を行い、（５）表示受信器１が▲３▼の信号を受信したときは、▲３▼の信号が重複信号であると判断し、信号は廃棄される。（６）▲２▼または▲３▼の信号を中継器２、２´は、各々の信号を重複であると判断し、信号は廃棄される。
【００４４】
上記（３）のように、中継器２´が中継器２よりも遅く中継送信するために、中継器２´は、信号を受信した後所定時間ディレーしてから送信するように設定されている。このようにして、中継器ごとに予め中継発信時間を規定して優先順位を決めている。
【００４５】
この重複信号判別を実現するための処理を、図１０のフローチャートに示す。受信信号のＩＤ・伝送データがともに一致する履歴データが存在すれば、同一発信器からの信号であると判断し、重複チェックを行う。一致する履歴データがなければ、新たに履歴データを保存し受信処理を行う。重複チェックは、受信信号と履歴データ各々の中継機器コードの比較により実施される。受信信号の中継機器コードが大きい場合は重複であると判断し、受信処理は行わず、その他の場合は、初期値化した有効期限タイマ値と受信信号データで、履歴データを上書き更新し受信処理を行う（以上、図１０の２０１〜２０５参照）。
【００４６】
第三に、中継回数コード・中継機器コードの各々の比較により重複信号を判別する方法について、図１１〜１３を用いて説明する。図１１は、この重複信号判別を実現するための処理フローチャートである。
【００４７】
受信信号のＩＤ・伝送データがともに一致する履歴データが存在すれば、同一発信器からの信号であると判断し、重複チェックを行う。一致する履歴データがなければ、新たに履歴データを保存し受信処理を行う。重複チェックは、受信信号と履歴データ各々の中継回数コードおよび中継機器コードの比較により行う。受信信号の中継回数コードが大きい場合または受信信号の中継機器コードが大きい場合は重複であると判断し、受信処理は行わず、その他の場合は、初期値化した有効期限タイマ値と受信信号データで、履歴データを上書き更新し受信処理を行う（以上、図１１の３０１〜３０６参照）。
【００４８】
なお、図１１のフローチャートにおいては、先に中継回数コードを比較し次に中継機器コードを比較しているが、比較順序は逆であってもよい。
【００４９】
この方法を使用すると、図１２および図１３に示すいずれのシステム構成においても、重複信号を排除することが可能である。
【００５０】
図１２は、発信器と表示受信器と中継器２台を含むシステムにおいて、発信器から送信する信号の流れを示す図である。ただし、中継器の１台は発信器と互いに通信できない領域にある。
【００５１】
図において、ＣＣ、ＲＰＣはそれぞれ中継回数コード、中継機器コードで、（１）発信器３からの▲１▼の信号を受信した中継器２は受信信号の中継回数コードＣＣに１を加算し、さらに中継機器コードＲＰＣを自己の中継機器コードに代えて中継送信を行い、（２）▲２▼の信号を受信した表示受信器１は▲２▼の信号の受信処理を行う。
【００５２】
次に、（３）▲２▼の信号を受信した中継器２´は受信信号の中継回数コードＣＣに１を加算し、さらに中継機器コードＲＰＣを自己の中継機器コードに代えて中継送信を行い、さらに、（４）▲３▼の信号を受信した表示受信器１は、▲３▼の中継回数コードＣＣが履歴データの中継回数コードより大きいため▲３▼の信号が重複信号であると判断し、信号は廃棄される。また、（５）▲３▼の信号を受信した中継器２も、▲３▼の中継回数コードＣＣが履歴データの中継回数コードより大きいため▲３▼の信号が重複信号であると判断し、信号は廃棄される。
【００５３】
図１３に示すシステム構成においても、同様の方法で重複信号の判別ができる。図１３は、発信器と表示受信器と中継器２台を含むシステムにおいて、発信器から送信する信号の流れを示す図である。この場合、図１２の場合と異なり、両中継器ともに発信器と通信ができる状態にある。
【００５４】
図において、ＣＣ、ＲＰＣはそれぞれ中継回数コード、中継機器コードで（１）発信器３からの▲１▼の信号を受信した中継器２は受信信号の中継回数コードＣＣに１を加算し、さらに受信信号の中継機器コードＲＰＣを自己の中継機器コードに代えて中継送信を行い、また、（２）発信器からの▲１▼の信号を受信した中継器２´は受信信号の中継回数コードＣＣに１を加算し、さらに受信信号の中継機器コードＲＰＣを自己の中継機器コードに代えて中継送信を行う。
【００５５】
次に、（３）２台の中継器は発信器からの信号をほぼ同時に受信するが、中継器２の方が中継器２´よりも早く中継送信する構成としており、そのため▲２▼の方が▲３▼よりも早く受信される。（４）表示受信器１が▲２▼の信号を受信したときは受信処理を行い、（５）▲３▼の信号を受信した表示受信器１は、▲３▼の中継機器コードＲＰＣが履歴データの中継機器コードより大きいため▲３▼の信号が重複信号であると判断し、信号は廃棄される。（６）▲２▼または▲３▼の信号を受信した中継器２、２´は、各々の信号を重複であると判断し、信号は廃棄される。
【００５６】
このように、中継回数コードおよび中継機器コードの双方を比較する方法を採用すれば、図１２に示すシステムにおいては、中継回数コードの比較により重複信号を検出することができ、図１３に示すシステムにおいては、中継機器コードの比較により重複信号を検出することができる。すなわち、中継回数コードによる重複信号判別方法が適用されるシステム（図７参照）においても、中継機器コードによる重複信号判別方法が適用されるシステム（図９参照）においても、使用が可能である。
【００５７】
【発明の効果】
以上の説明からも理解できるように、本発明に記載の重複信号判別方法では、中継処理時間内、すなわち履歴データを保持している間であっても、中継情報（中継回数コードや中継機器コード）の比較によって、受信信号を受信処理する必要があると判断する場合は、これを可能としている。
【００５８】
すなわち、信号を発信器から連続して送信する場合、２番目の信号の受信が１番目の信号の中継処理時間内であっても正常に処理することができ、かつ、それぞれの信号ごとに発生する重複信号は受信処理しないようにできる。
【００５９】
また、中継処理時間経過後は、中継回数コード等による重複信号判別をすることなく、無条件で受信処理を行うことができる。
【００６０】
請求項１、４、５に記載の重複信号判別方法では、信号内に設けた中継回数コードと履歴データ内の中継回数コードとの比較という簡単な方法によって、受信器は、重複信号の受信処理をしなくてすむ。また、この中継回数コードを使用すれば、同一システム内に複数の中継器を設置した場合であっても、中継器種別を意識することなく重複信号を判断することができる。
【００６１】
特に請求項４、５では、中継処理時間内であって、受信信号の中継回数コードが履歴データの中継回数コードよりも大きい場合は、受信信号が重複であると判断しているため、重複信号を排除し、正規な信号のみを受信処理することができる。
【００６２】
請求項２、６では、同一システム内に複数の中継器を設置し、中継器の中継機器コードを各機器に設定することによって、中継器どうしが通信可能であり、かつ各中継器と受信器が通信可能となった場合においても、重複信号の判別が可能となる。
【００６３】
特に請求項６では、中継処理時間内であって、受信信号の中継機器コードが履歴データの中継機器コードよりも大きい場合は、受信信号が重複であると判断しているため、重複信号を排除し、優先順位の高い中継器を経由した信号のみを受信処理することができる。
【００６４】
請求項３では、中継器の設置場所によらず、重複信号の判別が可能となる。また、中継処理時間内であって、受信信号の中継回数コードが履歴データの中継回数コードよりも大きい場合、または、受信信号の中継機器コードが履歴データの中継機器コードよりも大きい場合は、受信信号が重複であると判断しているため、正規な信号のみを受信処理することができる。
【００６５】
請求項７では、上記いずれかの重複信号判別方法を採用した送受信システムを提供することができる。
【００６６】
また、中継器を含まない送受信システムにも、上記のいずれかの重複信号判別方法を適用することは可能である。
【図面の簡単な説明】
【図１】本発明の重複信号判別方法を採用するシステムのシステム構成図の一例である。
【図２】本発明の重複信号判別方法を採用する受信器の内部構成を示すブロック図である。
【図３】本発明の重複信号判別方法を採用する中継器の内部構成を示すブロック図である。
【図４】本発明の重複信号判別方法を採用する発信器の内部構成を示すブロック図である。
【図５】中継機器コード・中継回数コードを含む呼出信号データの伝送フォーマットを示す図である。
【図６】履歴データの内部構成を示す図である。
【図７】中継回数コード比較による重複信号判別方法を採用するシステムの一例において、発信器から受信器までの信号の流れを示す図である。
【図８】中継回数コード比較による重複信号判別方法を採用するシステムの一例において、信号を受信したときの基本動作の一例を示すフローチャートである。
【図９】中継機器コード比較による重複信号判別方法を採用するシステムの一例において、発信器から受信器までの信号の流れを示す図である。
【図１０】中継機器コード比較による重複信号判別方法を採用するシステムの一例において、信号を受信したときの基本動作の一例を示すフローチャートである。
【図１１】中継回数コードおよび中継機器コード双方比較による重複信号判別方法を採用するシステムの一例において、信号を受信したときの基本動作の一例を示すフローチャートである。
【図１２】中継回数コードおよび中継機器コード双方比較による重複信号判別方法を採用するシステムの一例において、発信器から受信器までの信号の流れを示す図である。
【図１３】中継回数コードおよび中継機器コード双方比較による重複信号判別方法を採用する他のシステムの一例において、発信器から受信器までの信号の流れを示す図である。
【符号の説明】
１        ワイヤレス受信器
２        ワイヤレス中継器
３        ワイヤレス発信器
Ｈ        履歴データ
ＣＣ      中継回数コード
ＲＰＣ    中継機器コード
【図１】
0003674436.tif 000002
【図２】
0003674436.tif 000003
【図３】
0003674436.tif 000004
【図４】
0003674436.tif 000005
【図５】
0003674436.tif 000006
【図６】
0003674436.tif 000007
【図７】
0003674436.tif 000008
【図８】
0003674436.tif 000009
【図９】
0003674436.tif 000010
【図１０】
0003674436.tif 000011
【図１１】
0003674436.tif 000012
【図１２】
0003674436.tif 000013
【図１３】
0003674436.tif 000014